Podtech/llm-jp-corpus-v4-ja_patent huggingface dataset:
(57)【要約】【課題】本考案は重量の重い高意匠化粧板のプロテクトフィルムの粘着層が化粧板の重量により積み重ねて保管する際にその重量によって表面を損傷したりプロテクトフィルムがはがれなくなることを防止する。【解決手段】本考案は２枚ずつ梱包された製品をパレット上に立てて整置することによりプロテクトフィルムの粘着層と化粧板の表面に荷重がかからないようにして整置する。更にパレットを多段に収納するために支柱に勘合ユニットを設ける場合もある。【選択図】図４
2019018881.tif 000002
【特許請求の範囲】
【請求項１】
建築用化粧板材(以下化粧板という)の運送及び／或は保管の方法であって、化粧板を立てて整置し化粧板の表面に荷重がかからないようにして運送及び／或は保管する方法。
【請求項２】
請求項１において立てて化粧板を整置しプロテクトフィルムの粘着剤層と化粧板表面に荷重がかからないように整置することによりプロテクトフィルムの粘着剤により化粧板表面が損傷したり、プロテクトフィルムがはがれなくなることがないように整置したことを特徴とする請求項１の運送及び／或は保管方法。
【請求項３】
請求項１及び請求項２において所定の梱包数量が収納されたパレットは支柱に設けられた勘合用治具を介して積み上げられ保管される。
【発明の詳細な説明】
【技術分野】
【０００１】
本発明は１枚の重さが重い化粧材の運送及び／或いは保管方法に関する
【背景技術】
【０００２】
近年高意匠、高耐久性の高級外壁材が開発されてきている。例えばこれらの化粧板はいわゆるプロテクトフィルムが表面に貼られ２枚ずつ梱包されパレット上に平積されて保管される。倉庫内では１パレットに２０束ずつ積まれ５パレットが積み重ねられて保管される場合がある。
１パレット内の下の部分が荷重で押し付けられて凹凸ができたり、化粧面が損傷したり、プロテクトフィルムがはがれにくくなったりする事故が生ずることがあった。
【０００３】
これらの現象は輸送中の温度条件によっても助長されるようである。プロテクトフィルムに使用される粘着剤の成分と化粧板に使用されるトップコートの成分の関係や荷重の大きさ等も影響があると思われる。
【発明の概要】
【発明が解決しようとする課題】
【０００４】
運送及び／或は保管中に化粧板表面に荷重のかからない積載方法を検討することである。
【課題を解決するための手段】
【０００５】
具体的に例示するとサイズが４５５ｍｍ×１８２０ｍｍ、厚さ１６ｍｍの化粧板の化粧面に透明プロテクトフィルムを装着し（図１）、フィルム面同士が重なるように２枚１組を長辺側面の２面に添木を当ててＰＰバンドで４か所バンド締めを行う(図２)。梱包された製品は（図３）のパレット上に立てて保管する(図４)。大量に保管する場合はパレットの支柱の底部と先端部に設けられた勘合用の治具（図６）を使用して多段に積み上げる。                                
【発明の効果】
【０００６】
本発明による積載方法は運送／或いは保管の際にプロテクトフィルムと化粧板のトップコート面の粘着剤層に荷重が掛かることがないので粘着剤層が化粧板のトップコートに物理的、化学的に影響が与えられることが軽減される。それにより従来時々発生していた運送及び／或いは保管中の化粧板表面のプロテクトフィルムによる不具合が軽減された。
【図面の簡単な説明】
【０００７】
【図１】プロテクトフィルムが貼られた化粧板の全体図
【図２】２枚１組の梱包のモデル図
【図３】パレットのモデル図
【図４】保管状態の図
【図５】多段に積まれた保管状態の図
【図６】支柱に設けられた勘合用の治具の拡大図
【発明を実施するための形態】
【０００８】
化粧板の表面にプロテクトフィルム（１）を粘着する(図１)。プロテクトフィルム（１）が粘着された２枚の化粧板を面々合わせで長辺側面に化粧板の厚さ２枚に相当する巾の添木（２）を当ててＰＰバンドで結束して梱包する（図２）。（図３）に示すパレットに梱包された化粧板を端から順番に立てかけて（図４）の状態に立てて整置する。所定の梱包数量が収納されたパレットは（図５）のごとく支柱に設けられた勘合用の治具（６）を接続することにより多段に積み上げられて保管される。このようにして保管された化粧板はその表面とプロテクトフィルムの粘着剤層の間に強い荷重がかからないため化粧板の表面を損傷したりプロテクトフィルムがはがれにくくなったりすることはない。
【実施例】
【０００９】
４５５ｍｍ×１８２０ｍｍ×１６ｍｍの窯業系基板（ニチハ株式会社製）にウレタン系塗料で下塗りし更にその表面にブルー色エナメル塗料を塗装した。乾燥は棚に入れて金庫炉で１００℃×６０分乾燥してブルー色の化粧板を得た。更に４８時間養生して製品を完成させた。十分養生したのちにプロテクトフィルムを表面に気泡、しわが発生しないように帳貼り合わせた。更にそののちに面面どうしセットし長辺側面に添木をセットしていわゆるＰＰバンドで４か所結束して梱包を完成させた。運送及び／或いは保管のために（図３）に示すパレットに（図４）に示すように立てかけて整置した。所定数量が収納されたパレットは（図５）のように勘合用治具を介して積み上げる。
【符号の説明】
【００１０】
１．化粧板
２．プロテクトフィルム
３．添木
４．ＰＰバンド
５．支柱
６．勘合用治具
【図１】
2019018881.tif 000003
【図２】
2019018881.tif 000004
【図３】
2019018881.tif 000005
【図４】
2019018881.tif 000006
【図５】
2019018881.tif 000007
【図６】
2019018881.tif 000008
(57)【要約】      （修正有）【課題】紫外線カットやブル−ライトカットのレンズ及び紫外線カットやブル−ライトカットのガラスの光透過性を目視で容易に確認出来るインジケ−タ−を提供する。【解決手段】レンズやガラスが紫外線やブル−ライトをどの程度カットしているのかを容易に目視で確認する為に、紫外線やブル−ライトを当てると発光する蛍光トナ−で印刷したインジケ−タ−を作成する事により、簡単に容易に光の透過性を確認する事が出来る。【選択図】なし【特許請求の範囲】
【請求項１】
光がレンズやガラスを透過するか否かを簡単に目視出来る為に、蛍光トナ−で印刷したシ−トを使用することを特徴とする光透過評価用インジケ−タ−
【請求項２】
請求項１で使用する蛍光トナ−で印刷したインジケ−タ−は紫外線カットのレンズや紫外線カットのガラスにおいて紫外線透過性の評価が出来る事を特徴とするインジケ−タ−
【請求項３】
請求項１で使用する蛍光トナ−で印刷したインジケ−タ−はブル−ライトカットのレンズやブル−ライトカットのガラスおいてブル−ライト透過性の評価が出来る事を特徴とするインジケ−タ−
【請求項４】
請求項１、２、３で使用されるインジケ−タ−は明所でも評価できるが、暗所において顕著に紫外線やブル−ライトの透過性の評価が出来る事を特徴とするインジケ−タ−
【発明の詳細な説明】
【技術分野】
【０００１】  本発明は光がレンズやガラスを透過するか否かの目視確認が容易に出来るインジケ−タ−に関するものである。
【背景技術】
【０００２】  目を保護する為に、メガネレンズには紫外線カットやブル−ライトカットのメガネが開発され市場に導入されている。
しかし、そのメガネのレンズが本当に紫外線カットやブル−ライトカットされているのか確認してメガネを購入している人は少ないのが現状である。
紫外線カットやブル−ライトカットのカット率のデ−タはあるものの、購入者が本当にカットされているのか簡単に目視で確認する事が出来るインジケ−タ−は無い。
ブル−ライトカットについては、波長４０５ｎｍのレ−ザ−ポインタ−を使用して光が透過するかしないかというデモンストレ−ションが、メガネレンズメ−カ−やメガネ販売店で行われているが、レ−ザ−ポインタ−の光の面積が小さく目視に訴えるインパクトが少ない為に、解り図らいのが現状である。【０００３】  また、車などのガラスにも紫外線カットのガラスが使用されているが、どの程度のカット率なのか数値では示されているが、実際に目で確認する事は出来ていないのが現状である。【０００４】  このように、使用者の立場の人々がどの程度紫外線カットやブル−ライトカットが出来ているのかを、目視で確認出来ないままに購入しているケ−スが一般的である。【０００５】  これらの改善策として、紫外線やブル−ライトがどの程度カットされているのか、その様子を目で容易に確認できるように紫外線やブル−ライトを当てると発光する蛍光トナ−で印刷したインジケ−タ−を考案した。
【発明の概要】
【発明が解決しようとする課題】
【０００６】  解決しようとする問題点は、紫外線カットやブル−ライトカットのレンズやガラスがどの程度カットされているのか、はっきりと目視で確認で出来ない点であり、本発明は目視確認が容易に出来るインジケ−タ−を提供することを課題としている。
【問題を解決するための手段】
【０００７】  そして、本発明は上記問題を達成する為に鋭意研究を重ねた結果、蛍光トナ−で印刷したインジケ−タ−を開発するに至ったものである。
この蛍光印刷は、蛍光トナ−を使用してレ−ザ−プリンタやＬＥＤプリンタで印刷するものである。
この蛍光トナ−は紫外線やブル−ライトを当てると顕著に光る為に、レンズやガラスがどの程度カットされているのか目視で容易に確認出来、消費者が理解して購入することが出来る。
【考案の効果】
【０００８】  本発明は以上説明したように、蛍光トナ−で印刷したインジケ−タ−であり、紫外線やブル−ライトを当てると非常に鮮やかに発光する為、光の透過性が目視で簡単に確認できるという利点がある。
【発明を実施するための形態】
【０００９】  蛍光トナ−を利用してカラ−プリンタで印刷し、インジケ−タ−を作る事が出来た。
印刷した紙またはその紙をラミネ−トしてインジケ−タ−の作成を実現した。
【実施例１】
【００１０】  カラ−プリンタＲＩＣＯＨ  ＳＰ  Ｃ７５０の中に蛍光トナ−赤、黄、青色と一般の黒トナ−をセットし、フルカラ−水玉模様のデザインを印刷してインジケ−タ−を作成した。
このインジケ−タ−に紫外線を当てると発光した。又波長４０５ｎｍのレ−ザ−ポインタ−の光を当てるとさらに激しく発光した。
インジケ−タ−の上に紫外線カットのレンズを置き、そのレンズに波長３６５ｎｍの紫外線を当てるとインジケ−タ−は光らず、紫外線カットの様子が、目視で簡単に確認出来た。
さらに、インジケ−タ−の上にブル−ライトカットのレンズを置き、そのレンズに４０５ｎｍのブル−ライトを当てるとインジケ−タ−は光らず、ブル−ライトカットの様子が、目視で簡単に確認出来た。
【産業上の利用可能性】
【００１１】    商品を購入する消費者は、その商品についての効能を目視で確認したいものである。レンズやガラスにおいても、それらが紫外線カットやブル−ライトカットされているか否か目視で確認出来れば消費者は安心して購入する事が出来る。
また、販売店も消費者に説得行く説明が出来る。
この目視確認が容易に出来るインジケ−タ−が今回の発明であり、多くのメガネ販売店  や自動車の販売店に於いて利用される可能性がある。
(57)【要約】【課題】本発明は、定形郵便物の手紙、書類などの封書を郵送するときに色別標示にて重量を簡単に確認できる簡易型計量具である。【解決手段】弾性体（３）により吊り下げられた重量色別標示カード（１）が定形郵便物（１１）の重量に応じて上下に移動し表示された重量目盛にて一目でわかるように構成された定形郵便物の重量色別標示具である【選択図】図７
2019074502.tif 000002
【特許請求の範囲】
【請求項１】
弾性体（３）により吊り下げられた重量色別標示カード（１）が定形郵便物（１１）の重量に応じて上下に移動し表示された重量目盛にて一目でわかるように構成された定形郵便物の重量色別標示具である
【発明の詳細な説明】
【技術分野】
【０００１】本発明は、定形郵便物の手紙、書類などの封書を郵送するときに色別標示にて重量を簡単に確認できる簡易型計量具である。
【背景技術】
【０００２】従来、封書の重量を確認したい場合は計量器を使っていた。
【発明の概要】
【発明が解決しようとする課題】
【０００３】定形郵便物は
１、２５ｇ以内  ２、２５ｇを超えて５０ｇ以内  ３、５０ｇを超える
上記の如く、重量が三段階に区分されて郵便料金が変わる。
ちなみに、５０ｇを超えると定形外郵便物となる。
手紙、書類など封書にて郵送する場合、明らかに上記分類のどの範囲内かわかれば料金相当分の切手を貼って送れば何の問題もないが２５ｇ、５０ｇの境目の微妙なところは、幾らの切手にするか迷うときがある。
要は、細かい数量は必要なく境目のところで、どちらの区分になるか解ればよい。
家庭に、計量器を備えていれば、それで直ぐ確認できるが、無いときはわざわざ郵便局まで行って確認しなければならない。
計量器も
１、頻繁に使用するものではないので、購入するとなると意外と割高になる。
２、かさばるので置いていない。
などの理由で常備していない家庭も多々ある。
本発明は、それを解決するためのもので、重量色別にて一目で確認できて、且つ安価に作れて、また、インテリアとしても使えるものである。
【課題を解決するための手段】
【０００４】弾性体（３）により吊り下げられた重量色別標示カード（１）が定形郵便物（１１）の重量に応じて上下に移動し表示された重量目盛にて一目でわかるように構成された定形郵便物の重量色別標示具である。
【発明の効果】
【０００５】１、  一目でおよその重量が確認できる。
２、  フックを掛ける所があれば何処でも使用できる。
３、  安価である。
４、  インテリアとしても使える。
【図面の簡単な説明】
【０００６】
【図１】  本発明の  本体の斜視図  である
【図２】  本発明の  本体の平面図  である
【図３】  本発明の  Ａ−Ａ′による正面断面図である
【図４】  本発明の  Ｂ−Ｂ′による左側面断面図である
【図５】  本発明の  動物の顔に模した装飾部の正面図である
【図６】  本発明の  動物の顔に模した装飾部を本体前面に覆うように装着する合体図である
【図７】  本発明の  使用状態の参考図である
【図８】  本発明の  重量色別標示カード（１）の拡大正面図である
【発明を実施するための形態】
【０００７】以下、本発明の構成及び実施の形態について説明する。
構成の説明
１、  本体は、図１〜図４に示すような形状の本体ケース（２）に弾性体（３）、重量色別標示カード（１）を装着し、弾性体（３）により重量色別標示カード（１）を吊り下げている。
２、  弾性体（３）の上部は、連結部（４）を通してフック（５）につながっておりハンガーなどに引っ掛けられるようになっている。
３、  重量色別標示カード（１）の下部には連結部（６）を通して封筒をつかむ為のクリップが取り付けてある。
４、  図８は、重量色別標示カード（１）の拡大図でａ，ｂ，ｃの３色に色分けしてある。
５、  窓部（９）を設けた動物に模した装飾部（８）を図６のように本体ケース（２）の前面を覆うように接着剤又はマグネット等で合体装着する。
６、  本発明は、本体ケース（２）と動物に模した装飾部（８）を一体成型して作る事も可能である。
以上のような構成になっている。
実施の説明
１．  重量色別標示カード（１）は定形郵便物（１１）の重さに応じて弾性体（３）により上下方向に移動する。本体ケース（２）の前面に重量目盛表示を設けているので簡単におよその重さを判断できる。
２５ｇ、５０ｇの境目は彩色の位置の変化でわかる。
２、  本体ケース（２）前面に装着された動物に模した装飾部（８）の窓（９）からその状況がみられる。
以上のように実施される。
本発明は、洋服ハンガーなど引っ掛けるところがあれば、どこででも使用できて、また、インテリアとしても使える。
【符号の説明】
【０００８】  １  重量色別標示カード
２  本体ケース
３  弾性体
４  フックと弾性体の連結部
５  フック
６  重量色別標示カードとクリップの連結部
７  封筒をつかむ為のクリップ
８  動物の顔に模した装飾部
９  動物の顔に模した装飾部の窓部
１０  ハンガー
１１  定形郵便物
【図１】
2019074502.tif 000003
【図２】
2019074502.tif 000004
【図３】
2019074502.tif 000005
【図４】
2019074502.tif 000006
【図５】
2019074502.tif 000007
【図６】
2019074502.tif 000008
【図７】
2019074502.tif 000009
【図８】
2019074502.tif 000010
(57)【要約】      （修正有）【課題】屏風を開いて床に立てた状態及び平面に開いた状態を垂直な壁面に取り付けられるように屏風取り付け用可動ブラケットを提供する。【解決手段】壁面の上下に平行に固定バーを取り付け、その固定バーに平行及び直角に可動するブラケット腕１，２を取り付け、このブラケット腕１，２の端に回転する屏風を受け、支えるブラケット具を取付け、壁面から吐出しているブラケット長腕１と引っ込んでいるブラケット短腕２を固定バーに取り付け、このブラケット長短腕１，２を回転し折りたたみ出来る様にブラケットの端を円弧にし、ブラケット長短腕１、２と固定バーを軸で取り付け、ブラケット長腕１は固定プレート４と繋ぐ軸を中心にブラケット腕が水平移動出来る様にブラケット腕に溝を掘り、長腕ブラケット１を水平に折りたたみ収めた時に、屏風を受け支え出来る様に回転ブラケット具の位置が移動する。【選択図】図１
2019217232.tif 000002
【特許請求の範囲】
【請求項１】
屏風を立体的及び平面的に垂直な壁面に取り付ける為の屏風取り付け用ブラケット、屏風を立体的に壁面に取り付ける為に壁面に上下に水平な固定プレートを取り付け、固定プレートにブラケット長腕及びブラケット短腕を上下に取り付け、ブラケット腕に屏風受け及び支え用の回転ブラケットを取り付け、又固定プレートとブラケット腕を接続している軸を中心にブラケット腕を水平に回転させ固定プレート面に平行に収め、屏風を平面的にして壁面に取り付けられる立体及び平面用可動ブラケット。
【発明の詳細な説明】
【技術分野】
【０００１】  本発明は、屏風を開き床に置いた立体的及び平面的な状態を垂直な壁面に取り付ける為の立体及び平面取り付け用可動ブラケット、屏風を立てる為に折り曲げられ、壁面から吐出した部分の受けブラケット腕の下部と支えるブラケット腕上部、折り曲げられ壁面に近い部分の受けブラケット腕の下部と支えるブラケット腕の上部、更に屏風を平面的に平らにし壁面に取り付けられる立体及び平面用可動ブラケット。
【背景技術】
【０００２】  一般的な屏風は、床の上に置き立てて使用しますが、床に立てる為に折り曲げられた状態を壁面に掛けられ、更に平面に並べた状態を壁面に取り付ける可動ブラケット。【０００３】  屏風を開いた状態で壁に立体的に及び平面的に取り付けられる可動式ブラケット。
【発明の概要】
【発明が解決しようとする課題】
【０００４】  開いて立てた状態の屏風をブラケット腕で壁の面に取り付ける為に、壁面からの吐出部分と壁面に近い部分の長短のブラケット腕が必要で、さらに壁面に平面に取り付けられるように可動出来るブラケットが必要である。
【課題を解決する為の手段】
【０００５】  本発明に係る屏風を垂直な壁面に取り付ける為の可動ブラケットは、壁面に平行な固定プレートを上下に取り付け、この固定プレートに可動ブラケット腕を取り付け、屏風が壁面から吐出している所、又壁面に近い所を受け支える為に長短のブラケット腕を壁面から吐出する様に取り付け、さらにこのブラケット腕を壁面に水平に折りたたみ、固定プレートに収まるようにブラケット腕を取り付け、各ブラケット腕の上下に屏風受け支え回転ブラケット具を取り付ける。
【発明の効果】
【０００６】  本発明は、屏風を開いて立てた状態、及び平面にした状態を壁面に取り付ける為に、屏風を立体的或は平面的に取り付け調整可能な可動ブラケット、屏風の重量を受け支え回転ブラケット具とブラケット腕を固定プレート及び壁で支え、屏風の吐出部及び引っ込み部を壁面から垂直に支え、又各ブラケットを横水平に折りたたみ可能な可動ブラケットで、立体的及び平面的に調整可能なブラケット、屏風を壁面に取り付け立体的に平面的に鑑賞できる。
【図面の簡単な説明】
【０００７】
【図１】  図面１は、上部可動ブラケット立体的全体図。
【図２】  図面２は、下部可動ブラケット立体的全体図。
【図３】  図面３は、上部可動ブラケット平面的全体図。
【図４】  図面４は、下部可動ブラケット平面的全体図。
【図５】  図面５は、固定プレートに下部長腕ブラケットを伸ばした図。
【図６】  図面６は、固定プレートに下部長腕ブラケットを収納した図。
【図７】  図面７は、固定プレートに下部短腕ブラケットを伸ばした図。
【図８】  図面８は、固定プレートに下部短腕ブラケットを収納した図。
【図９】  図面９は、長腕ブラケット平面図。
【図１０】  図面１０は、長腕ブラケット側面図。
【図１１】  図面１１は、短腕ブラケット平面図。
【図１２】  図面１２は、短腕ブラケット側面図。
【図１３】  図面１３は、上部固定プレート平面図。
【図１４】  図面１４は、上部固定プレート側面図。
【図１５】  図面１５は、下部固定プレート平面図。
【図１６】  図面１６は、下部固定プレート側面図。
【発明を実施するための形態】
【０００８】  図１と図２は、屏風を立体的に壁面に取り付ける固定プレートと可動ブラケットの全体図で、図３と図４は、可動ブラケットを折りたたみ固定プレートに収めた全体図である。
【０００９】  図５と図６は、下部の固定プレートにブラケット長腕と屏風受け用の回転ブラケット具を取り付け伸ばした状態と平面的に収めた状態、図７と図８は、ブラケット短腕と回転ブラケットを取り付け伸ばした状態と平面に収めた状態。
【産業上の利用可能性】
【００１０】  会社、学校、店舗等々の社語、訓示、看板、写真、絵画等々を載せた屏風を立体的に、又平面的に壁面に掛ける事により、見る人々に動きのある強い印象を与える屏風壁掛用可動ブラケット。
【符号の説明】
【００１１】１  ブラケット長腕
２  ブラケット短腕
３  回転ブラケット
４  上部固定プレート
５  下部固定プレート
６  ブラケット長腕軸留め
７  ブラケット長腕溝
８  ブラケット短腕軸留め
９  回転ブラケット具軸留め
【図１】
2019217232.tif 000003
【図２】
2019217232.tif 000004
【図３】
2019217232.tif 000005
【図４】
2019217232.tif 000006
【図５】
2019217232.tif 000007
【図６】
2019217232.tif 000008
【図７】
2019217232.tif 000009
【図８】
2019217232.tif 000010
【図９】
2019217232.tif 000011
【図１０】
2019217232.tif 000012
【図１１】
2019217232.tif 000013
【図１２】
2019217232.tif 000014
【図１３】
2019217232.tif 000015
【図１４】
2019217232.tif 000016
【図１５】
2019217232.tif 000017
【図１６】
2019217232.tif 000018
(57)【要約】      （修正有）【課題】飲料用容器、食品用容器を一体化させることにより片手で同時に持つことで飲食を快適に行うことができ、容器に広告を載せることで、飲食のためだけでなく、宣伝に使用することもできる容器を提供する。【解決手段】飲料用容器３の上に食品用容器１を重ねることで一体化させ、飲食を一つの容器で行えることを特徴とする飲食一体型容器。また、容器３に広告５を載せ、宣伝したい企業、容器を使い、新たな商品を提供したい企業、そしてその容器３を手に取り、実際に飲食する客、全てにメリットを与えることができる。【選択図】図４
2019217234.tif 000002
【特許請求の範囲】
【請求項１】
飲料用容器の上に食品用容器を重ねることで一体化させ、飲食を一つの容器で行えることを特徴とする飲食一体型容器。
【請求項２】
該容器に広告を載せることで、飲食のためだけでなく、情報ツールとしても利用できることを特徴とする請求項１に記載する飲食一体型容器。
【発明の詳細な説明】
【技術分野】
【０００１】本発明は、飲料、食品を一つの容器にセットし、片手で飲食が行えるよう開発した容器に関するものである。
【背景技術】
【０００２】過去にも片手で飲食を行うというコンセプトのものが提供されている。
（特許文献１）
【先行技術文献】
【０００３】公開番号２０１５−０３７９５０
【発明が解決しようとする課題】
【０００４】（イ）
特許文献１は、既成の紙コップしか使うことができないため、バリエーションに限りがあること、広告を載せることができないため、情報ツールとして使用することができない。
（ロ）お祭りやレジャーランドなどの混雑した場所で食べ歩きをする場合、飲み物、食べ物が別れていると、飲料用容器、食品用容器の二種類が必要であり、二つの容器を同時に持って飲食を行うことが困難であり、不便である。
本発明は、飲料用容器、食品用容器を一体化させることにより片手で同時に持つことで飲食を快適に行うことができ、容器に広告を載せることで、飲食のためだけでなく、情報ツールとしても利用できる容器を提供することを本発明の目的とする。
【課題を解決するための手段】
【０００５】次に、上記課題を解決するため手段を説明する。
【０００６】本請求項１は、飲料用容器の上に食品用容器を重ねることで一体化させ、飲食を一つの容器で行えることを特徴とする容器。
【０００７】本請求項２は、該容器に広告を載せることで、飲食のためだけでなく、情報ツールとしても利用できることを特徴とする請求項１に記載する飲食一体型容器。
【発明の効果】
【０００８】本発明は以上のように構成されているので、以下に記載されるような効果を奏す。
【０００９】飲食を片手で行えるため、混雑した場所でも快適に飲食を行える。
【００１０】食品容器、飲料容器共に様々なサイズ、種類を製造することで、普段は食べ歩けないものも食べ歩ける（例としてカレー、牛丼など）。
【００１１】単なる紙コップでは希少性が薄いが、特注で製造することにより希少性の原理が働き、注目を集めることができる。
【００１２】レジャー施設や祭りなど混雑する場へ提供することにより、新たな市場が生まれる。
【００１３】飲料用容器に食品用容器を重ねるだけなので、とても簡単な作業であり、手間がかからない。
【００１４】新規性があるので話題になり、低迷している商店街などで展開することにより、活性化に繋げることができる。
【００１５】企業の広告を載せることにより、街頭で見かけるチラシ配り、ティッシュ配りの仕事を無くすことができ、人件費の削減に繋がる。
【００１６】広告を載せる際、容器と同じ素材を使用することで分別する手間を省ける。
【００１７】手に持っている時間が長いため、広告が目に留まりやすい。
【００１８】広告を載せる手段は他にも雑誌、ＣＭ、電車の中吊りなど様々あるが、容器に載せる方が安価で載せられる。
【００１９】広告収入を得ることにより、企業へ安価に提供できる。
【００２０】容器に広告を載せ、宣伝したい企業、容器を使い、新たな商品を提供したい企業、そしてその容器を手に取り、実際に飲食する客、全てにメリットを与えることができる。
【図面の簡単な説明】
【００２１】
【図１】食品容器の斜視図。
【図２】飲料容器の斜視図。
【図３】飲料容器に食品容器を重ねた正面図。
【図４】飲料容器に食品容器を重ね、広告を載せた正面図。
【実施例】
【００２２】次は、この発明の実施の形態について説明する。【００２３】図１の構成を説明する。
プラスチック素材で製作予定の食品用容器。
ストロー差し込み口を設けてある。
2019217234.tif 000003
【００２４】図２の構成を説明する。
プラスチック素材で製作予定の飲料用容器。
飲料用容器に広告を載せる。
2019217234.tif 000004
【００２５】図３の構成を説明する。
使用状態を示したものであり、飲料用容器に食品用容器を重ね、ストロー差し込み口からストローを差し込む構成の飲食一体型容器である。
2019217234.tif 000005
【００２６】図４の構成を説明する。
図３の飲食一体型容器に広告を載せたものである。
2019217234.tif 000006
【００２７】１食品用容器
２ストロー差し込み口
３飲料用容器
４ストロー
５広告
【図１】
2019217234.tif 000007
【図２】
2019217234.tif 000008
【図３】
2019217234.tif 000009
【図４】
2019217234.tif 000010
(57)【要約】      （修正有）【課題】低コスト、低被曝な方法によるホウ素中性子捕捉療法ＢＮＣＴの適応判定および治療計画を実施する。【解決手段】Ｂ−１０とＢ−１１が混在したホウ素化合物を体内に投与すると、Ｂ−１１はＭＲＩに反応しＢ−１０は中性子に反応する。Ｂ−１０およびＢ−１１を含む磁気共鳴・放射線デュアルプローブを用い、ＭＲＩを撮影する。治療適応の可能性がある場合、少量の中性子を用いた放射線画像を撮像。重ね合わせ画像を用いて治療計画を実施する。【選択図】図１
2019217231.tif 000002
【特許請求の範囲】
【請求項１】
ホウ素中性子捕捉療法の適応判断における、磁気共鳴・放射線デュアルプローブ（Ｂ−１０・Ｂ−１１）を用いたＭＲＩによりスクリーニング検査。
【請求項２】
中性子照射により得られた放射線画像およびＭＲＩ画像の重ね合わせによる、ホウ素中性子捕捉療法の治療計画。
【発明の詳細な説明】
【技術分野】
【０００１】  この発明は、磁気共鳴・放射線デュアルプローブ（ＭＲ−Ｒａｄ  ｄｕａｌ  ｐｒｏｂｅ）を用いたホウ素中性子捕捉療法（ＢＮＣＴ）の適応判定と治療計画の方法に関するものである。
【背景技術】
【０００２】  従来、ＢＮＣＴにおいては、ＰＥＴ（ポジトロン断層法）画像を用いて適応の判定および治療計画を行っていた。
【先行技術文献】
【０００３】
【特許文献１】
【非特許文献１】Ｉｓｈｉｗａｔａ  Ｋ，Ｉｄｏ  Ｔ，Ｍｅｊｉａ  ＡＡ，Ｉｃｈｉｈａｓｈｉ  Ｍ，Ｍｉｓｈｉｍａ  Ｙ．Ｓｙｎｔｈｅｓｉｓ  ａｎｄ  ｒａｄｉａｔｉｏｎ  ｄｏｓｉｍｅｔｒｙ  ｏｆ  ４−ｂｏｒｏｎｏ−２−［１８Ｆ］ｆｌｕｏｒｏ−Ｄ，Ｌ−ｐｈｅｎｙｌａｌａｎｉｎｅ：ａ  ｔａｒｇｅｔ  ｃｏｍｐｏｕｎｄ  ｆｏｒ  ＰＥＴ  ａｎｄ  ｂｏｒｏｎ  ｎｅｕｔｒｏｎ  ｃａｐｔｕｒｅ  ｔｈｅｒａｐｙ．Ｉｎｔ  Ｊ  Ｒａｄ  Ａｐｐｌ  Ｉｎｓｔｒｕｍ  Ａ．１９９１；４２（４）：３２５−８．
【発明の概要】
【発明が解決しようとする課題】
【０００４】  これには次のような欠点があった。
（イ）ＢＮＣＴの際に用いられるホウ素化合物の体内動態、集積、分布を評価するため、ホウ素化合物をポジトロン核種で標識する必要があった。
ポジトロン核種をホウ素化合物に標識するためには、手間がかかるだけでなく、薬剤合成の作業従事者、医療関係者、患者の放射線被曝は避けられない。
また、ポジトロン核種で標識されたホウ素化合物はＰＥＴ用造影剤として用いられるが、ＢＮＣＴで投与される薬剤とは異なった化学構造式、油水分配係数を有している。すなわち、異なった化学構造式を有するホウ素化合物を用いて、別のホウ素化合物の生体内での分布を類推するため、理論的同一性が担保されていない。
ＰＥＴを用いて生体内のホウ素化合物の分布を評価する場合、投与量がＢＮＣＴ治療時と比較して著しく少量であるため、間質への漏出の程度や腫瘍内の濃度勾配、血流分布、クリアランスに差異を生じる可能性がある。
（ロ）ＰＥＴ画像は空間分解能が低く、体内の重要臓器および皮膚表面の詳細な解剖学的情報は得にくい。さらに呼吸性移動など、体内臓器の動きをリアルタイムにとらえることは困難である。
（ハ）ポジトロン核種でホウ素化合物を標識するためには、施設内にサイクロトロンと合成機を完備する必要があり、汎用性に乏しく、検査コストも高額になる。
本発明は、以上のような欠点をなくするためになされたものである。
【課題を解決するための手段】
【０００５】  （イ）Ｂ−１０，Ｂ−１１の二つの同位体から構成されるホウ素化合物を合成する。
（ロ）ＭＲＩを用いたＢ−１１の集積確認を行う。
（ハ）微量の中性子を照射しＢ−１０から発生する微量の放射線を検出し、ＭＲＩとの重ね合わせ画像に基づく線量評価を行う。
本発明は、以上の構成よりなる、磁気共鳴・放射線デュアルプローブを用いたホウ素中性子捕捉療法における適応判定法および治療計画である。
【発明の効果】
【０００６】  （イ）治療適応の判定や治療計画を行う際、ＰＥＴ検査が不要になる。ＰＥＴでの事前検査が不要になれば、ＰＥＴを行うためのサイクロトロン、合成機、診断装置など大掛かりな施設が不要になるため、診療上のコストを大幅に削減できる。
（ロ）ＭＲＩを用いた一次スクリーニング検査が、全国どこでも簡便に実施できるようになるため、ＢＮＣＴ治療における地域間格差を是正できる。
（ハ）ＭＲＩのマルチパラメトリック画像を重ね合わせることで、正常組織の生体情報を治療計画に反映させることができる。正常組織の微細な部分まで正確に線量評価をすることで、治療に関連した有害事象を事前に予測することが可能になる。
（ニ）検査による放射線被曝を低減できる。一時スクリーニングとして行うＭＲＩでの放射線被曝は皆無である。一次スクリーニングを通過した患者のみ放射線を使った二次検査を行うことになるため、患者の放射線被曝を最小限に抑えることができる。
（ホ）ポジトロン核種をホウ素化合物に標識する必要がないため、いかなるホウ素化合物もそのままの状態で生体に投与し治療計画を立てることができるようになる。これまで標識困難であったホウ素化合物の体内動態をｉｎ  ｖｉｖｏで画像化できるようになる。
【図面の簡単な説明】
【０００７】
【図１】  本発明の概要図である。
【発明を実施するための形態】
【０００８】  以下、本発明を実施するための最良の形態について説明する。
ＢＮＣＴで用いられるホウ素は、ホウ素−１０（Ｂ−１０）が用いられる。天然に存在するホウ素には、主に２つの同位体があり、Ｂ−１０（１９．９％）とＢ−１１（８０．１％）から構成されている。ＢＮＣＴでは、高純度のＢ−１０化合物が使われるため、Ｂ−１０の分離精製が行われる。一方、Ｂ−１１はＢＮＣＴでは治療には寄与しないが、常磁性体であるため磁気共鳴画像（ＭＲＩ）の造影剤として利用可能である。
本発明では高純度の精製過程を経ずにＢ−１０とＢ−１１が混在したホウ素化合物を作成し、磁気共鳴と中性子いずれにも反応する性質を用いた新たな検査方法を発明した。ホウ素化合物を磁気共鳴・放射線デュアルプローブ（ＭＲ−Ｒａｄ  ｄｕａｌ  ｐｒｏｂｅ）として用いることにより、異なった物理現象を利用することができる。一方、化学構造式は同一であるため、生体に投与した時の生物学的挙動は同じである。
このＢ−１０とＢ−１１が混在したホウ素化合物を体内に投与すると、Ｂ−１１はＭＲＩに反応しＢ−１０は中性子に反応する。ＭＲＩによりＢ−１１の分布を画像化することにより、Ｂ−１０の分布情報が得られ、その分布情報に基づいてＢＮＣＴの適応を判断する（図１）。腫瘍への集積が軽微な場合は、ＢＮＣＴの適応にはならない。
さらにＢＮＣＴの適応の可能性があると判断された場合には、実際に微量の中性子を照射し、Ｂ−１０から発せられる放射線を測定することにより、治療を行ったときの吸収線量をあらかじめ測定する。この吸収線量の分布図とＭＲＩ画像とを重ね合わせることにより、腫瘍および正常組織のＤＶＨ（線量体積ヒストグラム）を、実測値にもとづいて作成する。さらにＭＲＩにおけるマルチパラメトリック画像を外挿することにより、ＢＮＣＴ後の機能障害や後遺症、合併症を予測する。
【図１】
2019217231.tif 000003
(57)【要約】【課題】衣類を掛けたまま畳め、畳んだ状態のまま取り外す事が出来る衣料用ハンガーを提供する。【解決手段】主要部材として、サヤ管▲Ｃ▼に連結された鋏形状のグリップ▲Ａ▼と、両端に可動軸（関節）▲１▼▲２▼▲３▼を備えたアーム▲Ｂ▼を組み合わせる。［図２］アーム▲Ｂ▼はサヤ管▲Ｃ▼の中を貫通しており。可動軸▲２▼▲３▼はサヤ管▲Ｃ▼の中で固定されている。又、グリップ▲Ａ▼からはズレ防止の中心棒▲Ｄ▼がアーム▲Ｂ▼を貫通しており、常に左右の長さは均一である。［図１］衣類を掛けたまま、可動軸▲１▼を曲げると巾が１／２になり［図３］グリップ▲Ａ▼を握ると、サヤ管▲Ｃ▼は中心部に寄り、可動軸▲２▼▲３▼はサヤ管▲Ｃ▼から解放され巾は１／３になる［図４］。そのまま襟口から抜く事が出来る。【選択図】図１
2019217222.tif 000002
【特許請求の範囲】
【請求項１】
衣類を掛けたまま折り畳み、畳んだ状態のまま取り外せ、繰り返し使用できる事を特徴とするハンガー。
【請求項２】
アーム部に数種の可動軸（関節）を持ち、任意の方向に曲げる事ができる請求項１に記載のハンガー。
【請求項３】
グリップ部を握る事で筒がスライドし、中で固定されていた可動軸が開放される事でハンガー本来の形が変化し。狭い襟口から抜き出せる請求項１と２に記載のハンガー。
【発明の詳細な説明】
【技術分野】
【０００１】本考案は衣料用ハンガーに関する物である。
【背景技術】
【０００２】従来の衣料用ハンガーは「吊るす」「干す」事を前提とし、その後の収納は手作業である。【０００３】家庭の主婦や独身者にとっては煩わしい作業であり、多くの時間を必要とする。
【先行技術文献】
【０００４】開閉式ハンガーは、アーム全体が下方向に折れ曲がり垂直に襟口から抜けるのみで、畳む作業はその後の手作業になる。
（特開−２００４−２６１４１６）
（特許      第５５３０７９６号）
【０００５】折りたたみ機能を有するハンガーは、両肩部が折れ曲がるのみで、衣類と分離出来ない。又、衣類と一緒に収納する為、衣類の数だけハンガーが必要となる。
（特開−２０１８−６８９９４）
（特開−２０６６−８７７８７）
（特開−２０１１−６７５７７）
（特開−２０１８−５１２８０）
【発明の概要】
【発明が解決しようする課題】
【０００６】上記ハンガーによれば、各利点は有るものの収納と云う点では問題が無い訳では無い。
【０００７】本発明は可動方向の違う数種類の可動軸（関節）を用いて［０００４］［０００５］の欠点を克服している。
【０００８】上記ハンガーは衣類を畳んだ後、畳んだ状態のまま取り外せ。繰り返し使用できるので経済的である。
【０００９】上記ハンガーは、樹脂製で製作可能であり、安価に提供できる。
【００１０】上記ハンガーは、使用頻度の高い販売店や縫製工場用に金属でも製作可能である。
【課題を解決するための手段】
【００１１】本ハンガーは、ねじりバネ内蔵の鋏形状グリップ▲Ａ▼と、衣類を掛ける左右のアーム▲Ｂ▼から成り、▲Ａ▼と▲Ｂ▼を繋ぐスライド用サヤ管▲Ｃ▼を加えた衣料用ハンガーである。
【００１２】変形時にはハンガー長さを変形前に対して三分の一程度となり襟口から抜く事が出来る。
【００１３】アーム▲Ｂ▼の両端は折り畳んだ袖から抜けやすいように、柔らかい（しかし腰の有る）ゴム系やプラスチック系の物を使用。
【００１４】アーム▲Ｂ▼は▲１▼▲２▼▲３▼の可動軸を対称に持ち、スライド用サヤ管▲Ｃ▼の中を貫通している。    ［図１］［図２］
【００１５】可動軸▲１▼▲２▼は後方に可動。▲３▼は下方向にのみ可動。［図３］［図４］
【００１６】静止状態では、可動軸▲２▼▲３▼はスライド用サヤ管▲Ｃ▼の中に位置し、水平に固定されている。［図２］
【００１７】
2019217222.tif 000003
引っ張られて可動軸▲２▼▲３▼は各々自由になり襟口から抜ける。
［図１］［図２］［図３］［図４］
【発明の効果】
【００１８】本発明においては衣類をハンガーに掛けたまま均一のサイズに畳め。畳んだ状態のままハンガーを取り外す事が出来る。
【００１９】上記ハンガーは、スライド用サヤ管▲Ｃ▼とアーム▲Ｂ▼の長さを変える事で、男性・女性・子供用にも変更出来る。
【００２０】構造がシンプルなので安価に提供できる。
【図面の簡単な説明】
【００２１】
【図１】  本発明に係るハンガーの全体図である。
【図２】  ハンガーの分解（パーツ）図と組立（完成）図である。
【図３】  衣類の肩口を後方に折り畳んだ時のハンガー形状。
【図４】  グリップを握った時の各関節の可動方向を示す。（各部がフリーになるので衣類から引き抜ける）
【符号の説明】
【００２２】▲Ａ▼  グリップ
▲Ｂ▼  アーム
▲Ｃ▼  サヤ管
▲Ｄ▼  中心棒
▲Ｇ▼  力方向
▲１▼  可動軸（関節）
▲２▼  可動軸（関節）
▲３▼  可動軸（関節）
【図１】
2019217222.tif 000004
【図２】
2019217222.tif 000005
【図３】
2019217222.tif 000006
【図４】
2019217222.tif 000007
(57)【要約】      （修正有）【課題】車内やキャンプ場や訪問診療先など手軽に何処でも水回りの流し台を利用可能な片手で持ち運びできる箱型携帯流し台を提供する。【解決手段】カメラのハード・ケースの蓋を開けた開口部に板を用いて最小のステンレス製シンク４と吐水用水栓具５を通常の流し台の形態になるように取り付ける。シンクの下方のハード・ケースの底の空間に給水用タンクと排水用タンクをそれぞれ取り付け内部給排水型にする。給水用タンクは、電動モーターポンプを介して吐水用水栓具に繋がっており電動で水を供給できるようになっている。また排水用タンクはシンクの排水口と繋がっており使用した水を排水タンクに貯めることができる。シンクの左上の吐水用水栓具の左横に訪問歯科診療時に義歯作製のために型取りした印象物に石膏を流すためのバイブレーター６を取り付ける。ハード・ケースの蓋の内側に鏡２と照明器具３を取り付ける。【選択図】図１
2019217221.tif 000002
【特許請求の範囲】
【請求項１】
ハード・ケース内で給水と排水は内部で供給処理できるように給水タンクと排水タンクをそれぞれ備えた持ち運び可能な箱型携帯流し台。
【請求項２】
シンクの左上の吐水用水栓具の左横に訪問歯科診療時に義歯作製のために型取りした印象物に石膏を流すためのバイブレーターを取り付ける。
【請求項３】
ハード・ケースの蓋の内側に鏡と照明器具を取り付ける。
【発明の詳細な説明】
【技術分野】
【０００１】  本発明は、何処にでも片手で持ち運ぶことができる箱型携帯流し台に関するものである。
【背景技術】
【０００２】  近年レジャーでアウトドアに出かける人々が多く、それぞれキャンプや車中泊を楽しんでいる。キャンプやアウトドアで必要になってくるものの１つに手洗いなどの水回りの流し台がある。
通常のキャンプやアウトドアでの手洗いなどの水回りは、ペットボトルや水筒やポリタンクまたは備えつけの流し台が使用されていた。
また歯科医療現場において、近年日本社会は少子高齢化が進み高齢者の割合が増えている。日本人の平均寿命は世界トップクラスで超高齢者の人口も増加し、なかなか自力で通院できない患者も増え続けている。
国の方も高齢者対策で医療面において訪問診療に力を注いでいる。それにともない医療現場の声を反映し各医療機器メーカーなどが訪問歯科診療を行うためにポータブルなタービン・セットやバキューム装置を開発している。
しかしながら既存の訪問歯科診療の機器は、タービン類、バキューム装置、レントゲン装置といった歯牙の治療に使用するものであった。
超高齢化が進んだ日本の訪問歯科診療には、無歯顎の患者で歯牙の治療を必要としない義歯作製の需要も多く、手軽に持ち運びできる簡易的な水回りが必要になってくる。
訪問診療先では、水回りの流し台も備わっているところもあるが、訪問診療を受ける患者さんには、ベッドに寝たきりの人も多く水回りの流し台から距離があった。
【先行技術文献】
【０００３】
【特許文献】
【非特許文献】
【発明の概要】
【発明が解決しようとする課題】
【０００４】  車中泊での寝る前や起床時の洗顔や歯ブラシでの洗口、またアウトドアでのちょっとした手洗いは常設の手洗いの流し台のある所まで行かなければならなかった。
また訪問歯科診療において、訪問診療先では、水回りの流し台も備わっているところもあるが、訪問診療を受ける患者さんには、ベッドに寝たきりの人も多く水回りの流し台から距離があり場所と治療内容によっては何回も移動する必要があった。
本発明は、車内やキャンプ場や訪問診療先などで手軽に何処でも水回りの流し台を利用できる片手で持ち運び可能な箱型携帯流し台を提供するものである。
【課題を解決するための手段】
【０００５】  本発明では上記目的を達成するために、次の技術手段を講じている。
今回の箱型携帯流し台の開発にあたっては、小型のキャンピングカー用の小型のシンクとカメラを収納携帯する持ち手のついたハード・ケースを利用した。
カメラのハード・ケースの蓋を開けた開口部に板を用いて最小のステンレス製シンクと吐水用水栓具を通常の流し台の形態になるように取り付ける。シンクの下方のハード・ケースの底の空間に給水用タンクと排水用タンクをそれぞれ取り付け内部給排水型にする。給水用タンクは、電動モーターポンプを介して吐水用水栓具に繋がっており電動で水を供給できるようになっている。また排水用タンクはシンクの排水口と繋がっており使用した水を排水タンクに貯めることができる。
シンクの左上の吐水用水栓具の左横に訪問歯科診療時に義歯作製のために型取りした印象物に石膏を流すためのバイブレーターを取り付ける。
ハード・ケースの蓋の内側に鏡と照明器具を取り付ける。
箱型の携帯流し台であるため手軽に何処でも水回りの流し台を片手で持ち運びできる。
【発明の効果】
【０００６】  今回開発した箱型携帯流し台を使用することで以下の利点が考えられる。
▲１▼箱型なので手軽に何処にでも持ち運びできる。
▲２▼内部に給排水タンクをそれぞれ備えているので、まわりを汚さず何処でも使用す        ることができる
▲３▼車内やアウトドアのテント内で洗顔、洗口、手洗いができる。
▲４▼訪問歯科診療先では、義歯をベットサイドで水洗できる
▲５▼歯牙の残存率が高い患者には、ベットサイドでブラシング指導ができる。
▲６▼訪問先で義歯の作製のための印象を行った時にすぐに石膏を流すことができる。
今回開発した箱型携帯流し台を使用することにより、何処でも手軽に水回りの作業ができる。
【図面の簡単な説明】
【０００７】
【図１】本発明の箱型携帯流し台の斜視図である。
【図２】本発明の箱型携帯流し台の側面透過図である。
【発明を実地するための形態】
【０００８】  以下、本発明の実地の形態について、図面を参照しつつ詳細に説明すれば図１において箱型携帯流し台の構造は、カメラのハード・ケースの箱型本体（１）の蓋を開けた開口部に板を用いて最小のステンレス製シンク（４）と吐水用水栓具（５）を通常の流し台の形態になるように取り付ける。
シンク（４）の左上の吐水用水栓具（５）の左横に訪問歯科診療時に義歯作製のために型取りした印象物に石膏を流すためのバイブレーターを（６）取り付ける。
ハード・ケースの蓋の内側に鏡（２）と照明器具（３）を取り付ける
図２においてシンク（４）の下方のハード・ケース（１）の底の空間に給水用タンク（７）と排水用タンク（８）をそれぞれ取り付ける。給水用タンク（７）は、水を供給するための電動モーターポンプ（９）を介して吐水用水栓具（５）に繋がっており電動で水を供給できるようになっている。また排水用タンク（８）はシンク（４）の排水口と繋がっており使用した水を排水タンク（８）に貯めることができる。電源のバッテリー（１０）は、電動モーターポンプ（９）と照明器具（３）に電気を供給する。
【符号の説明】
【０００９】  １  ハード・ケース箱型の本体
２  ハード・ケースの蓋の裏側に取り付けられている鏡
３  ハード・ケースの蓋の裏側に取り付けられている照明器具
４  小型のシンク
５  給水用の吐水用水栓具
６  バイブレーター
７  内部に備えつけたれている給水用タンク
８  内部に備えつけたれている排水用タンク
９  給水用タンクから吐水用水栓具に水を供給するための電動モーターポンプ
１０  電源のバッテリー
【図１】
2019217221.tif 000003
【図２】
2019217221.tif 000004
(57)【要約】【課題】骨格、筋肉に密着し、体にあった形状まで沈み込み、その状態のまま動かすことにより、凝り固まった箇所を柔らかく安全に、解きほぐすことを可能とするセルフマッサージローラーを提供する。【解決手段】中の軸（１）は、中空円柱の硬質な薄い素材で体重により楕円状にたわみ、外の枠（２）は、厚みのある柔軟性反発弾性の素材で体重により柔らかく体に密着しながらも圧がかかった状態で押し返す事を特徴とするセルフマッサージローラーである。【選択図】図１
2019217229.tif 000002
【特許請求の範囲】
【請求項１】
中の軸（１）は、中空円柱の硬質な薄い素材で体重により楕円状にたわみ、外の枠（２）は、厚みのある柔軟性反発弾性の素材で体重により柔らかく体に密着しながらも圧がかかった状態で押し返す事を特徴とするセルフマッサージローラー。
【請求項２】
中の中空円柱の軸（１）の厚みは約１ｍｍ〜２．５ｍｍであり、直径は約４８ｍｍ〜７６ｍｍであり、外の枠（２）の厚みは約３０ｍｍ〜７０ｍｍであり、硬度はＳＲＩＳ規格において約２〜１３である請求項１に記載のセルフマッサージローラー。
【発明の詳細な説明】
【技術分野】
【０００１】本発明は、マッサージローラーに関する。
【技術背景】
【０００２】従来のマッサージができるマッサージローラーは、中の軸は中空円柱の硬質な素材で、外の枠は凹凸がある変化しにくい硬度の高い弾性素材で構成されている。
【先行技術文献】
【０００３】
【非特許文献】
【非特許文献】グリッドホームローラー［平成３０年６月１８日検索］、インターネット＜ＵＲＬ：ｈｔｔｐ：／／ｗｗｗ．ｔｒｉｇｇｅｒｐｏｉｎｔ．ｊｐ＞  上記非特許文献は、体にそわし転がすことにより筋肉をほぐすことを目的としているセルフマッサージローラーである。
【発明の概要】
【発明が解決しようとする課題】
【０００４】しかしながら従来のマッサージができるセルフマッサージローラーは、その硬さにより痛く感じ、体に不具合がある人はもちろんのことながら、全身をマッサージする事は困難であるとういう欠点があった。【０００５】本発明は、以上のような従来の欠点を鑑み、全身の筋肉を柔らかく安全に、筋肉に密着させて解きほぐすセルフマッサージローラーを提供する事を目的としている。
【課題を解決するための手段】
【０００６】上記の目的を達成するために、本発明は中の軸は、中空円柱の硬質な薄い素材で体重により楕円状にたわみ、外の枠は、厚みのある柔軟性反発弾性の素材で体重により柔らかく体に密着しながらも圧がかかった状態で押し返す事を特徴とするセルフマッサージローラーである。
【発明の効果】
【０００７】以上の説明から明らかなように、本発明にあたっては次に列挙する効果が得られる。
中の軸は中空円柱の硬質な薄い素材であり、外の枠は厚みのある柔軟性反発弾性の素材を特徴とするセルフマッサージローラーであることから、体に沿わしたときに深く沈み込み、骨格、筋肉を捉える、中心に芯があることにより沈み込みは止まり、柔軟性反発弾性の素材であることから、骨格、筋肉の柔軟性の違いに圧がかかった状態で捉えることができる、中の芯は硬質な薄い素材でできているため体重によりたわみ楕円状になることから、あたりはなだらかになり、外の枠は柔軟性反発弾性のある状態で動かすことができるため、中は一定で外は変化しながら柔らかく安全に体の位置を安定させたまま、皮膚、筋肉、関節、内臓、骨へ密着させ転がしほぐすことができる。
【図面の簡単な説明】
【０００８】
【図１】この発明の一実施形態を示す斜視図である。
【図２】体に沿わしたときに深く沈みこむ状態を表した、本発明の実施例。
【図３】柔軟性の違いに対して変化して捉える状態を表した、本発明の実施例。
【図４】中の芯が体重により楕円状にたわむ状態を表した、本発明の実施例。
【図５】内臓や関節、筋肉がやわらかい箇所をほぐせることを表した、本発明の実施例。
【発明を実施するための形態】
【０００９】本発明の一実施形態を図１に示す。
中の軸（１）は、中空円柱の硬質な薄い素材で体重により楕円状にたわみ、外の枠（２）は、厚みのある柔軟性反発弾性の素材で体重により柔らかく体に密着しながらも圧がかかった状態で押し返す事を特徴とするセルフマッサージローラーである。
「実施形態の効果」
【００１０】本発明は図２に示すように体に沿わしたときに深く沈み込み、骨格、筋肉を捉える、しかし上記非特許文献は凹凸があり厚みのない形状であるため体に密着させることができない。
【００１１】本発明は中心に芯があることにより沈み込みは止まり、柔軟性反発弾性の素材であることから、図３に示すように骨格、筋肉の柔軟性の違いに圧がかかった状態で捉えることができる、しかし上記非特許文献は外の枠は変化しにくい凹凸のある厚みのない形状で硬質な弾性素材であるため、筋肉の柔軟性の違いや皮膚、関節、骨へ密着させ捉え転がしほぐすことが困難である。
【００１２】本発明は図４に示すように中の芯は硬質な薄い素材でできているため体重によりたわみ楕円状になることからあたりはなだらかになり面に近くなる、しかし上記非特許文献は中の軸は硬質な素材でできているため変化しにくくあたりは点に近い状態であり、体の硬い人や、体の柔らかい部位、又は硬い部位に対して転がしほぐすことが困難である。
【００１３】本発明は外の枠は柔軟性反発弾性のある状態で動かすことができるため、中は一定で外は変化しながら柔らかく安全に体の位置を安定させたまま、皮膚、筋肉、骨、又は図５に示すように、内臓や関節、筋肉が柔らかい箇所へ上記非特許文献よりも密着させ安全に転がしほぐすことができる。
【００１４】以上のような点において、本発明は従来品とは異なるものである。
【符号の説明】
【００１５】      １  中の軸
２  外の枠
【図１】
2019217229.tif 000003
【図２】
2019217229.tif 000004
【図３】
2019217229.tif 000005
【図４】
2019217229.tif 000006
【図５】
2019217229.tif 000007